(57)【特許請求の範囲】
【請求項１】
電気車両のバッテリを充電するための充電器であって、
充電セッションの間、車両と、電力及び／またはデータを交換するための少なくとも１つのポートと、
各充電セッションごとにデータ記憶ロケーションへのアクセスを獲得する光学のリファレンスを生成するための手段と、
データ記憶ロケーションに特定の充電セッションに関する情報をセーブするための第１のデータ通信手段と、
前記特定の充電セッションの前記データ記憶ロケーションへのアクセスを獲得する唯一の光学のリファレンスを通信するための第２のデータ通信手段と、
前記唯一の光学のリファレンスの前記通信が終了した後、前記唯一の光学のリファレンスを無効にするか、または、前記唯一の光学のリファレンス消させるための手段と、
を含み、
前記第１のデータ通信手段は、（ウェブまたはアプリケーションまたはクラウド）サーバのような外部のデータ記憶ロケーションに前記情報をセーブするように構成され、
前記第２のデータ通信手段は、外部のデバイスと、前記唯一の光学のリファレンスを通信するように構成された、
充電器。
【請求項２】
電流、電圧または電力のような電気量のためのセンサのような、前記充電セッションに関する情報を測定するための手段を含む、請求項１に記載の充電器。
【請求項３】
電力源からの電力レベル及び／または波形（交流／直流／連続／スイッチ型）を車両のための電力レベル及び／または波形（交流／直流／連続／スイッチ型）に変換するための電力変換器を含む、請求項１及び２いずれか記載の充電器。
【請求項４】
充電処理を監視するためのシステムであって、
請求項１乃至３いずれか記載の充電器と、
前記唯一の光学のリファレンスを受信し、追跡するように、及び、前記データ記憶ロケーション上の前記データを処理するように構成された、移動電話またはスマートフォン、携帯コンピュータまたはタブレットコンピュータのようなＰＤＡまたはコンピュータのような外部デバイスと
を含む、システム。
【請求項５】
充電処理を監視するためのシステムであって、
請求項１乃至３いずれか記載の充電器を含み、前記唯一の光学のリファレンスは、サーバ上のウェブページにつながり、
前記サーバは、少なくとも前記セーブされた情報へのアクセスを有し、外部デバイスが前記唯一の光学のリファレンスを追跡するとき前記情報を開示するように構成された、システム。
【請求項６】
前記唯一の光学のリファレンスを受信するように、及び、前記データ記憶ロケーション上の前記データを処理するように構成された、移動電話またはスマートフォン、携帯コンピュータまたはタブレットコンピュータのようなＰＤＡまたはコンピュータのような外部デバイスを含む、請求項４または５記載のシステム。
【請求項７】
前記外部デバイスは、前記充電器の前記第１のデータ通信手段または前記第２のデータ通信手段へ制御信号を送信するようにさらに構成された、請求項６記載のシステム。
【請求項８】
前記外部デバイスは、車両の前記充電セッションの進行を表示するように構成され、及び／または、前記外部デバイスは、車両の前記充電セッションの残りの時間の推定を表示するように構成された、請求項４乃至７いずれか記載のシステム。
【請求項９】
前記外部デバイスは、車両が上回る必要のある所望のキロメートル数、最高支払い総額、使用可能な総時間、または、ａｂｏｒｔコマンドのような、前記充電器への制御コマンドを送信するように構成された、請求項４乃至８いずれか記載のシステム。
【請求項１０】
前記唯一の光学のリファレンスを受信し、前記データ記憶ロケーション上の前記データを処理するように、及び／または、請求項１乃至３のいずれか一項に記載の充電器を制御するように構成された移動電話またはスマートフォン、携帯コンピュータまたはタブレットコンピュータのようなＰＤＡまたはコンピュータのような、通信デバイス。
【請求項１１】
請求項４乃至９いずれか記載のシステムで使用するための請求項１０記載の通信デバイスを構成するためのアプリケーションを含む、サーバ。
【請求項１２】
電気車両の充電セッションを監視するための方法であって、前記方法は、
電気車両用の充電器の電力交換のためのポートへの前記電気車両の接続を検出し、
特定の充電セッションを開始し、
前記充電器によって、データ記憶ロケーションに前記特定の充電セッションに関するデータをセーブし、
前記特定の充電セッションの前記データ記憶ロケーションへのアクセスを獲得する唯一のリファレンスを生成し、
前記充電器によって、前記データ記憶ロケーションへの前記唯一のリファレンスを外部デバイスへ提供し、
前記外部デバイスへの前記唯一のリファレンスの提供の後、前記唯一のリファレンスを無効にするか、または、前記唯一のリファレンスを消させ、
前記セーブされたデータを検索し、前記外部デバイス上の前記データに基づく監視情報を表示する、
ステップを含む、方法。
【請求項１３】
充電処理を制御するために、前記外部デバイスから前記充電器へコマンドを送信することを含む、請求項１２記載の方法。
【請求項１４】
前記充電器における、または、前記充電器近くの第三者の行動に基づいて、前記充電器から前記外部デバイスに通知を送信することを含む、請求項１２または１３記載の方法。
【発明の詳細な説明】
【技術分野】
【０００１】
本発明は、電気車両のバッテリの充電を遠隔で監視するためのシステム及び方法、並びに、該システム及び方法用の充電器及びデバイスに関する。
【背景技術】
【０００２】
電気車両は、充電インフラストラクチャの向上により普及している。適度なバッテリ容量の電気車両をほぼ１５分で完全に充電することが可能となってきている。しかしながら、この時間期間は、燃焼エンジンの車両の燃料を満たす間ガソリンスタンドで費やす時間と比べてまだ比較的長い。ほとんどの車両運転手は、充電セッションの間、充電場所で待機しておらず、通常コーヒー休憩をとる。充電が済んだかどうか確認するために、運転手は、充電器のスクリーンを見るために、充電場所に戻らなければならない。もし充電が終わっていない場合、運転手は、その場で待機するか、いた場所に戻るかしなければならないが、そのことは、煩わしく感じられるだろう。潜在的な解決は、ウェブに基づくシステムを通して、遠隔で充電状態及び充電の制御に関する情報を提供することだろう。これは、潜在的にユーザフレンドリーな解決である。しかしながら、このことは、プライバシーの問題を起こすかもしれない。誰でも、ウェブに基づく解決へのアクセスを有していれば、遠隔で充電処理を確認または制御することができるだろう。
【０００３】
前述した電気車両は、自動車または自動二輪車のような路上車両、（フォークリフト）トラックのような現場使用または屋内使用のための車両、さらに水上移送、鉄道路線移送または空の移送のための車両を含んでもよい。
【発明の概要】
【０００４】
本発明の目的は、充電スタンドのユーザが、独占的にデータまたはこの充電器の制御にアクセスするための解決を提示しながら、全充電処理の間、充電器の場所に、または、その側に留まる必要をなくすことである。
【０００５】
そのために、本発明は、充電セッションの間、車両と電力を交換するための少なくとも１つのポートと、データ記憶ロケーションに充電セッションに関する情報をセーブするための第１のデータ通信手段と、外部デバイスに前記充電セッションに関する情報を含むデータ記憶ロケーションへのアクセスを獲得するためのリファレンスを通信するための第２のデータ通信手段とを含む、電気車両のバッテリを充電する充電器を提供する。
【０００６】
外部デバイスに、充電セッションに関する情報を提供することで、自分の車両を充電するユーザが、充電の進行を監視するための外部デバイスを使用してもよい。外部デバイスは、例えば、リファレンスを受信し、記憶ロケーションでデータを処理するように構成された、移動電話またはスマートフォン、携帯またはタブレットコンピュータのようなＰＤＡまたはコンピュータであってもよい。
【０００７】
充電器は、さらに、開始ボタンを含んでいてもよい。開始ボタンは、物理的なボタンまたは充電セッションを実際に開始するためのタッチスクリーン上に表示されたボタンであってもよい。
【０００８】
本発明の１つの実施形態では、リファレンスは、（準）唯一のリファレンスであり、充電器によって各充電セッションごとに生成され、例えば、充電器のスクリーンまたは充電器の側のスクリーンに表示される。このリファレンスは、カメラ付き外部デバイスによってスキャンされることができる。リファレンスは、セーブされた情報を回収するために外部デバイスによって使用される。充電器は、特に、セーブされた情報を充電セッションの間頻繁にまたは連続的にさえアップデートするように構成されてもよいので、外部デバイスが、車両バッテリの充電状態、健全状態、現在の充電の電流及び電圧、残りの充電時間、車両に供給された電力、推定駆動範囲などの情報をリアルタイムで示すことを可能にさせる。
【０００９】
リファレンスは、例えば、ＱＲ（クイックレスポンス）リファレンス、１次元または２次元の棒リファレンスまたは色リファレンスであることができる。好ましくは、例えば、ハイパーリンク、特に、ディープリンクを含んでもよい前記特定の充電セッションのデータ記憶ロケーションへの唯一のリファレンスである。充電器は、少なくとも部分的に、第１の通信手段または第２の通信手段を介して制御可能であってもよく、充電器は、統合された部分としてのデータ記憶ロケーションを含んでもよい。
【００１０】
同じ出願人によるオランダ特許出願ＮＬ２００７０８１に記述された充電の挙動推定のための方法が、要求される充電電力、残りの充電時間、他の車両バッテリデータを決定するための発明において出願されているかもしれない。車両バッテリデータは、充電器のセンサ測定及び電気車両との充電器のデータ通信によって獲得されてもよい。獲得されたデータは、最終的には、外部デバイスに供給される。
【００１１】
本発明は、車両運転手が、充電場所よりも快適な場所で充電の進行を追跡することができるという利点を提供する。
【００１２】
１つの実施形態では、充電器は、第１の通信手段または第２の通信手段を介して制御信号を受信するように構成されてもよい。ユーザは、例えば、充電セッションを停止及び開始することにより、充電を遠隔にてさえ制御できるかもしれない。車両運転手は、再び出発しなければならない前に、どれだけの時間を有しているかを入力することもできる。入力された変更によって、充電設定が、充電器によって最適化される。命令を入力することができるように、充電セッションを停止または開始するための仮想制御パネルが、外部デバイス上に表示されてもよい。
【００１３】
複数ポート充電器、すなわち、電気車両と、電力及び／またはデータを交換するための１つより多いポートをもつ充電器のための可能な特徴は、ユーザが、充電器において、他の車両に対する自分の充電セッションの相対的な優先順位を入力することができることである。ユーザが、何らかの理由で、充電器の場所により長く留まるつもりであるとき、ユーザは、低い優先順位を指示することができ、より安いエネルギー価格のような報酬を受けてもよい。
【００１４】
１つの実施形態では、複数のポートをもつ充電器は、電気車両を充電する各ポートに対してリファレンスを伝達してもよい。状況によって、リファレンスは、同じまたは異なる携帯デバイスによってスキャンされることができる。同じことが、ディスプレイ上にそれぞれ自身のリファレンスを示す複数の充電器用に成すことができる。それら全てが、同じ携帯デバイスによってスキャンされるとき、各充電器へのアクセスポータルが、携帯デバイスに開かれているだろう。
【００１５】
この発明は、大規模車隊のオーナに有効であることもある。自動車隊をもつタクシー会社は、全ての充電場所に行くことなく、どの車両が完全に充電されていて、出発待ちであるかを容易に確認することができる。
【００１６】
充電器は、ユーティリティまたはほかのエネルギープロバイダのコンピュータにおいて運営する清算及び支払いアプリケーションと相互に作用してもよい。充電のための支払いは、充電が、ユーザによって終了された、または停止された後で、オンラインバンキングアプリケーションにリンクすることで成されることもできる。充電の支払いに可能な異なるシナリオがあり、以下に、幾つかの限定しない例を挙げ、より詳細に説明する。
【００１７】
例１：車両運転手は、支払請求書をＳＭＳテキストメッセージを介して送信し、支払いは、運転手の電話請求上で差し引かれる。
【００１８】
例２：車両運転手が、充電の支払いをした後、リファレンスが、スクリーン上に表示されることも可能である。車両運転手が、充電器において、非接触型スマートカードで支払うと、充電器は、スクリーン上にリファレンスを表示する。リファレンスが、移動デバイスでスキャンされると、スクリーン上のリファレンスが消え、または、無効になり、そして、リファレンスにより表されていたアクセスポータルに、アクセスされる。充電は、移動デバイスで開始することができ、充電が終了した後、供給された電力と全ての費用が、スクリーン上に表示される。
【００１９】
例３：充電が済んだとき、支払いは、ＮＦＣを使用して移動電話で充電器においてローカルに成されることができる。支払いは、プリペイド口座（アカウント）から差し引かれることができ、または、電話または銀行口座に直接請求されることもできる。
【００２０】
好ましくは、遠隔での監視及びデバイスの制御は、保護された接続を通して成される。リファレンスは、リファレンスのスキャンの後、無効になるか、または、ディスプレイから消えるので、一度だけ、使用可能である。
【００２１】
１つの実施形態では、リファレンスを生成するための手段は、ソフトウェア、ハードウェア、または、その組み合わせで実施されることができる。応用的な実施形態では、リファレンスは、充電器の内部コントローラによって生成される。
【００２２】
１つの実施では、リファレンスを転送するための手段は、スクリーン、ＬＥＤアレイ、ＲＦＩＤ、Ｂｌｕｅｔｏｏｔｈ（登録商標）、Ｗｉ−Ｆｉ、Ｗｉｍａｘ、Ｚｉｇｂｅｅ（登録商標）、または、何らかの他のワイヤレス通信デバイスまたはラウドスピーカであることができる。
【００２３】
更なる別の実施形態では、サーバは、充電器においてコントローラであることができるが、充電器から遠隔に設置されることもできる。例えば、ＰＣ、ノートブック、ゲームコンソール、別の充電器、電気車両、または、埋込みコントローラをもつ何らかの他のデバイスであることができる。
【００２４】
１つの実施形態では、移動デバイスは、移動電話、個人用携帯情報端末、ノートブック、タブレットＰＣ、または、何らかの他のハンドヘルドデバイスであることができる。
【００２５】
１つの好ましい実施形態では、特に、リファレンスが、データ記憶として機能もする充電器のコントローラによって生成される。
【００２６】
本発明は、さらに、上述した少なくとも１つの充電器と、リファレンスを受信し、追跡するように、及び、データ記憶ロケーション上のデータを処理するように構成された、移動電話またはスマートフォン、携帯コンピュータまたはタブレットコンピュータのようなＰＤＡまたはコンピュータのような外部デバイスとを含む充電処理を監視するためのシステムに関する。充電器によって通信されるリファレンスは、サーバ上のウェブページにつながってもよく、前記サーバは、少なくとも前記記憶されたデータへのアクセスを有し、外部デバイスがリファレンスを追跡するとき前記データを開示するように構成されている。
【００２７】
サーバは、さらに、リファレンスを追跡して、セーブされた情報を開示するウェブサイトをホストしてもよい。
【００２８】
システムにおいて、リファレンスを受信し、記憶ロケーションでデータを処理するように構成された移動電話またはスマートフォン、携帯コンピュータまたはタブレットコンピュータのようなＰＤＡまたはコンピュータのような外部デバイスが、使用されてもよい。
【００２９】
外部デバイスは、さらに、充電器の第１の通信ポートまたは第２の通信ポートへ制御信号を送信するように構成されてもよく、車両の充電セッションの進行を表示するように構成されてもよい。外部デバイスは、さらに、車両の充電セッションの残りの時間の推定を表示するように構成されてもよい。車両が上回る必要のある所望のキロメートル総数、最高支払い総額、使用可能な総時間、または、ａｂｏｒｔコマンドのような、充電器への制御コマンドを送信するように構成されることもできる。
【００３０】
リファレンスの生成は、要求に応じてか、または、新しい車両が充電器に接続される各回に自動的であることができる。
【００３１】
充電が終了したとき、充電器システムから外部デバイスに送信されたメッセージで、車両運転手に通知することができる。このメッセージは、テキストメッセージ、または、音声メッセージであることができる。同じまたは異なるリファレンスが、まだ使用中である同じ充電器差し込み口に接続したい別の車両運転手によってスキャンされることができる。充電されている車両が接続を切るとき、または、車両が、充電パークから立ち去るとき、２台目の車両運転手に通知することができる。最後のケースでは、車両検出手段は、充電器で実施される。
【００３２】
本発明は、以下の限定をしない図面を参照して、より詳細に説明されるだろう。
【図面の簡単な説明】
【００３３】
【図１】充電システムの一般的な構成図１を示している。
【図２】本発明の第１の実施形態を示している。
【図３】本発明の第２の実施形態を示している。
【図４ａ】本発明に従って方法のフロートチャートを示している。
【図４ｂ】本発明に従って方法のフロートチャートを示している。
【発明を実施するための形態】
【００３４】
図１は、本発明に従って充電システムの一般的な構成図１を示している。システムは、電気車両３を充電する充電器２を含んでおり、充電器は、サーバファーム（クラウド）５に動作可能に連結されている。充電器２は、移動デバイス４にリファレンスを伝送することができ、移動デバイス４は、充電器、サーバファームに設置されることができるか、または、別個のエンティティを形成することができるデータ記憶に記憶された充電セッションデータにアクセスすることができる。なお、クラウド５は、ＡＰＩを通して、公共施設、または、他のエネルギー提供者のコンピュータにおいて動作する請求及び支払いアプリケーション７と相互に作用することができる。また、充電スタンドのオペレータ６の端末で実行している設定アプリケーションは、充電スタンドを設定するためのＡＰＩを通してクラウドと相互に作用してもよい。充電器は、電力供給８のエネルギーに頼っている。
【００３５】
図２の（ａ）は、本発明の実施形態を示している。電気車両のバッテリを充電する充電器９の一部が示されている。充電器は、ディスプレイ１０を含んでおり、そこに、リファレンス１１が、ＱＲコード（登録商標）の形態で示されている。なお、ディスプレイ１０は、充電処理の進捗を示す進行インジケータ１２と、充電処理を停止するためのボタン１３を示している。
【００３６】
移動電話１４として具体化されている外部デバイスは、リファレンス１１を読み込むために使用される。リファレンスは、サーバにつながり、サーバは、ページを開くことができるか、または、充電器１０によってセーブされた情報を使用するアプリケーションをダウンロードすることができる。
【００３７】
図２の（ｂ）は、図２の（ａ）の移動電話１４を示しており、ここで、図２の（ａ）の充電器１０のディスプレイが表示するように、同じ情報を表示している。移動電話１４は、離れた所から、充電処理を監視するために使用されてもよく、その結果、ユーザに充電器の場所を離れされてもよい。
【００３８】
移動デバイスは、このときから充電処理情報を表示し始め、充電器のスクリーンは、同じ情報を表示することを停止してもよい。したがって、時々通る通行者または機器の潜在的な他のユーザから情報を隠し、移動デバイスのユーザだけに独占的に情報を使用可能にする。このようにして、第１のユーザのプライバシーは、保証される。
【００３９】
図３の（ａ）は、本発明の実施形態を示している。移動デバイスのＮＦＣインタフェース１５は、充電器のＮＦＣインタフェース１６にきわめて接近して置かれる。通信は、ＮＦＣチャネルを占有しており、そこで、リファレンスは、充電器から移動デバイスに伝送される。同時に、ユーザは、請求及び支払いアプリケーションのために自動的に識別される。
【００４０】
リファレンスは、図３の（ｂ）に示されるように、ユーザに充電セッションを遠隔で制御させ、監視させるようにできるサーバで動作するアプリケーションにつながる。
【００４１】
図４ａは、充電器を通じて制御を確立するための方法においてステップ（Ｓ１−Ｓ８）を含む図を示している。図中のステップは以下の通りである。
【００４２】
［Ｓ１］車両接続が、検出される。
【００４３】
［Ｓ２］ＱＲコードが生成される。
【００４４】
［Ｓ３］コードが、移動デバイスによってスキャンされる。
【００４５】
［Ｓ４］移動デバイスは、請求及び支払いアプリケーションにリンクされる。
【００４６】
［Ｓ５］移動デバイスは、遠隔の監視及び制御アプリケーションにリンクされる。
【００４７】
［Ｓ６］車両の充電は、ユーザによって開始される。
【００４８】
［Ｓ７］車両充電は、終了されるか、または、ユーザによって停止される。
【００４９】
［Ｓ８］請求は、ユーザの銀行口座に適用される。
【００５０】
図４ｂは、充電器を通じて制御を確立するための方法におけるステップ（Ｓ１１−Ｓ１８）を含む別の図を示している。
【００５１】
［Ｓ１１］車両接続が、検出される。
【００５２】
［Ｓ１２］ＮＦＣタグが、新しいコードで再プログラムされる。
【００５３】
［Ｓ１３］ＮＦＣサポートをもつ移動デバイスを、コードを獲得するために、充電器のＮＦＣタグの前に保持する。
【００５４】
［Ｓ１４］ユーザは、遠隔での監視及び制御のために、識別され、許可される。
【００５５】
［Ｓ１５］移動デバイスは、遠隔の監視及び制御アプリケーションにリンクされる。
【００５６】
［Ｓ１６］車両の充電は、ユーザによって開始される。
【００５７】
［Ｓ１７］車両充電は、終了されるか、または、ユーザによって停止される。
【００５８】
［Ｓ１８］支払いは、ユーザのプリペイド口座（アカウント）から差し引かれる。
【００５９】
また、充電の間、移動デバイスのスクリーン上に広告を示すことが可能であってもよい。
【００６０】
上の図は、単に例示的実施形態あり、続く請求項で定義されているような本発明の範囲を限定しない。
なお、以下に、出願当初の特許請求の範囲に記載された発明を付記する。
［Ｃ１］
電気車両のバッテリを充電するための充電器であって、
充電セッションの間、車両と、電力及び／またはデータを交換するための少なくとも１つのポートと、
データ記憶ロケーションに前記充電セッションに関する情報をセーブするための第１のデータ通信手段と、
前記データ記憶ロケーションへのアクセスを獲得するバーまたはＱＲコードのような光学のリファレンスを通信するための第２のデータ通信手段とを含み、
前記第１のデータ通信手段は、（ウェブまたはアプリケーションまたはクラウド）サーバのような外部のデータ記憶ロケーションに前記情報をセーブするように構成され、
前記第２のデータ通信手段は、前記特定の充電セッションの前記データ記憶ロケーションに唯一のリファレンスを通信するように構成された
充電器。
［Ｃ２］
前記リファレンスは、ハイパーリンク、特に、ディープリンクを含む、Ｃ１に記載の充電器。
［Ｃ３］
前記第１のデータ通信手段または第２のデータ通信手段を介して、少なくとも部分的に制御可能である、Ｃ１及び２いずれか記載の充電器。
［Ｃ４］
前記データ記憶を含む、Ｃ１乃至３いずれか記載の充電器。
［Ｃ５］
電流、電圧または電力のような電気量のためのセンサのような、前記充電セッションに関する情報を測定するための手段を含む、Ｃ１乃至４いずれか記載の充電器。
［Ｃ６］
電力源からの電力レベル及び／または波形（交流／直流／連続／スイッチ型）を車両のための電力レベル及び／または波形（交流／直流／連続／スイッチ型）に変換するための電力変換器を含む、Ｃ１乃至５いずれか記載の充電器。
［Ｃ７］
充電処理を監視するためのシステムであって、
Ｃ１乃至６いずれか記載の充電器と、
前記リファレンスを受信し、追跡するように、及び、前記データ記憶ロケーション上の前記データを処理するように構成された、移動電話またはスマートフォン、携帯コンピュータまたはタブレットコンピュータのようなＰＤＡまたはコンピュータのような外部デバイスと
を含むシステム。
［Ｃ８］
充電処理を監視するためのシステムであって、
Ｃ１乃至６いずれか記載の充電器を含み、前記リファレンスは、サーバ上のウェブページにつながり、
前記サーバは、少なくとも前記記憶されたデータへのアクセスを有し、外部デバイスが前記リファレンスを追跡するとき前記データを開示するように構成された、システム。
［Ｃ９］
前記サーバは、前記リファレンスを追跡して前記セーブされた情報を開示するウェブサイトをホストしている、Ｃ８記載のシステム。
［Ｃ１０］
前記リファレンスを受信するように、及び、前記データ記憶ロケーション上の前記データを処理するように構成された、移動電話またはスマートフォン、携帯コンピュータまたはタブレットコンピュータのようなＰＤＡまたはコンピュータのような外部デバイスを含むＣ８または９記載のシステム。
［Ｃ１１］
前記外部デバイスは、前記充電器の前記第１のデータ通信ポートまたは前記第２のデータ通信ポートへ制御信号を送信するようにさらに構成された、Ｃ７または１０記載のシステム。
［Ｃ１２］
前記外部デバイスは、車両の前記充電セッションの進行を表示するように構成された、Ｃ７または１０または１１記載のシステム。
［Ｃ１３］
前記外部デバイスは、車両の前記充電セッションの残りの時間の推定を表示するように構成された、Ｃ７または１０または１１記載のシステム。
［Ｃ１４］
前記外部デバイスは、車両が上回る必要のある所望のキロメートル数、最高支払い総額、使用可能な総時間、または、ａｂｏｒｔコマンドのような、前記充電器への制御コマンドを送信するように構成された、Ｃ７または１０または１１記載のシステム。
［Ｃ１５］
充電処理を監視するためのシステムであって、
電力を交換するための電力供給と、
電力及び／またはデータを交換するための電気車両と
に連結された充電器と、
データを交換するための前記充電器と、
データを交換するための外部デバイスと
に連結された１つ以上のサーバと、
データを交換するための前記充電器と、
データを交換するための前記１つ以上のサーバと
に連結された前記外部デバイスと
を含むシステム。
［Ｃ１６］
前記リファレンスを受信し、前記データ記憶ロケーション上の前記データを処理するように、及び／または、Ｃ１乃至６記載の充電器を制御するように構成された移動電話またはスマートフォン、携帯コンピュータまたはタブレットコンピュータのようなＰＤＡまたはコンピュータのような、通信デバイス。
［Ｃ１７］
Ｃ７乃至１５いずれか記載のシステムで使用するためのＣ１６記載の通信デバイスを構成するためのアプリケーションを含む、サーバ。
［Ｃ１８］
電気車両の充電セッションを監視するための方法であって、前記方法は、
電気車両用の充電器の電力交換のためのポートへの前記電気車両の接続を検出し、
充電セッションを開始し、
前記充電器によって、データ記憶ロケーションに前記充電セッションに関するデータをセーブし、
前記充電器によって、前記データ記憶ロケーションへの唯一のリファレンスを外部デバイスへ提供し、
前記記憶されたデータを検索し、前記外部デバイス上の前記データに基づく監視情報を表示する
ステップを含む、方法。
［Ｃ１９］
前記充電処理を制御するために、前記外部デバイスから前記充電器へコマンドを送信することを含む、Ｃ１８記載の方法。
［Ｃ２０］
前記充電器における、または、前記充電器近くの第三者の行動に基づいて、前記充電器から前記外部デバイスに通知を送信することを含む、Ｃ１８または１９記載の方法。
【図１】
0006038932.tif 000002
【図２】
0006038932.tif 000003
【図３】
0006038932.tif 000004
【図４ａ】
0006038932.tif 000005
【図４ｂ】
0006038932.tif 000006